(57)【要約】      （修正有）【課題】部材同士の分解・組立を容易化した複数部材の連結構造を提供するとともに、これを用いて分解・組立を容易にした土嚢用補助具を安価に提供する。【解決手段】土嚢用補助具Ｈ１は、環状体３１の下辺に、保持脚３２を着脱自在に取り付けたものからなる。環状体３１は３つの円弧体３３同士を着脱自在に連結することにより一体化してある。環状体３１は、一方の部材の一端部に連結穴部を設け、他端部に接続部を設けた円弧体３３を組み合わせ、ばね部材４とカム部材５とにより保持及び分離操作可能としてある。環状体３１の下辺には保持脚３２が着脱自在に挿着してあり、同様にばね部材４とカム部材５とにより保持及び分離操作可能としてある。ばね部材４を揺動させ、カム部材５により環状体３１に保持脚３２を拘束・解除可能とする。この補助具を用いれば、土嚢袋を開口かつ立ち姿状態に保持可能なので、土砂などを単独で充填可能となる。【選択図】図５
0003148724.tif 000002
【実用新案登録請求の範囲】
【請求項１】
所定の幅と厚みを有する第１部材の所望か所に連結穴部を設け、上記第１部材と連結すべき第２部材の一端部を上記連結穴部に系合可能な形状と所定の長さに区切ってなる接続部を設け、上記連結穴部に上記接続部を挿着してなる複数部材の連結構造であって、
上記連結穴部の両側部には門型に形成したばね部材の各端部を内側に折り曲げてなる係止部が挿着してあり、
上記ばね部材は上記連結穴部の外側に、揺動可能かつ上記各係止部を上記連結穴部の内側で進退可能に設けてあり、
上記接続部の両側部の所定位置には上記各係止部を系合可能な系止穴及び該系止穴から接続部の端部まで該端部側を低くする傾斜溝部が設けてあり、
上記連結穴部の両側部には上記ばね部材を揺動させることにより各上記係止部を互いに逆方向に進退させるカム部材が設けてある
ことを特徴とする複数部材の連結構造。
【請求項２】
所定の幅と厚みを有する第１部材の一辺の所定か所に連結穴部を設け、
上記第１部材と連結すべき第２部材の一端部に上記連結穴部に挿着可能な形状の接続部を設け、上記連結穴部に上記接続部を挿着した上記第２部材が支軸を介して揺動可能に軸支してある複数部材の連結構造であって、
上記連結穴部の両側部には門型に形成したばね部材の各端部を内側に折り曲げてなる係止部が挿着してあり、
上記ばね部材は上記連結穴部の外側で揺動可能かつ上記各係止部を上記連結穴部の内側で進退可能に設けてあり、
上記接続部の両側部の上記支軸を中心とする半径上の所定位置には上記各係止部を系合可能な系止穴が設けてあり、
上記連結穴部の両側部には上記ばね部材の揺動により各上記係止部を互いに逆方向に進退させるカム部材が設けてある
ことを特徴とする複数部材の連結構造。
【請求項３】
土嚢袋の開口部の大きさに対応する寸法を有する環状体と、上記環状体の下部に複数の保持脚を備えている土嚢用補助具において、
上記環状体は複数個の円弧部材を請求項１に記載した複数部材の連結構造を用いて着脱自在に連結したものからなり、
各上記保持脚は上記環状体の下辺に上記請求項１に記載した複数部材の連結構造を用いて着脱自在に取り付けてある
ことを特徴とする土嚢用補助具。
【請求項４】
所定の厚みと幅とを有し、土嚢袋の開口部の大きさに対応する寸法を有する実質的に正方形の環状体と、上記環状体の下部に複数の保持脚を備えた土嚢用補助具において、
上記各保持脚は請求項２に記載した複数部材の連結構造を用いて上記環状体に着脱自在に連結してある
ことを特徴とする土嚢用補助具。
【考案の詳細な説明】
【技術分野】
【０００１】
本考案は、部材同士を着脱自在にする複数部材の連結構造及びこれを用いてなる土嚢用補助具に関するものである。
【背景技術】
【０００２】
従来から部材同士を着脱自在に連結する手段には種々あるが、主に金属等の強固な構造物の接続に用いられるものである。その代表例として、ガス管の接続に用いるカップリングがある。その他、最近の提案に係るものの例としては、２つの棒状部材を簡単に連結・切り離しできる連結機構（特許文献１）がある。第２例として、組み付けが簡単で且つ高強度を無理なく確保可能な部材の接続構造（特許文献２）がある。第３例として、相対的に回動可能に連結される部在位同士の連結作業を容易にした連結部の構造（特許文献３）などがある。
【０００３】
次に、土嚢に言及する。土嚢の用途は種々あるが、周知のとおり、これは土嚢袋に土砂やがれきなどを詰めて防災や運搬等に供する場合に用いるものである。これまでは土嚢袋に土砂等を充填する際には、誰かに袋の口を開けた状態に保持してもらわないと、詰めることができないので不便であった。そこで単独で充填作業ができるようにするためにいくつかの提案がなされている。その第１例として、底板の周囲に複数の支柱を立て、各支柱の上端部に牽引部材を取り付け、さらにこれらの牽引部材の先にクランプ部材を設けた大型土嚢詰め込み補助具が提案されている。この補助具は枠内に土嚢袋の開口部を上にして入れ、土嚢袋の上端部をクランプ部材によって保持することによって開口状態を維持するようにしたものである（特許文献４）。
【０００４】
第２例として、土嚢袋の開口部の大きさに対応する寸法を有する環状体と、所定長さを有し、この環状体から下方に向けて延設してある複数の保持部材とを備えた土嚢用補助具がある（特許文献５）。これは、この補助具を土嚢袋の開口部から袋内に入れ、袋の上部で環状体の内側に折り返して袋を開口状態に維持して土砂等を充填可能としたものである。充填作業終了後にこの環状体から補助具を少ない抵抗で容易に引き抜き可能としたものである。
【０００５】
【特許文献１】特開２００５−１６９１６３号公報
【特許文献２】特開２００７−７５４３７号公報
【特許文献３】特開２００８−１４５６０４号公報
【特許文献４】特開平１１−３４８９４５号公報
【特許文献５】実用新案登録第３１１８２９４号
【考案の開示】
【考案が解決しようとする課題】
【０００６】
部材同士の連結のうち、第１例の連結機構は、棒状部材同士を連結するためのもので、着脱が容易であることが認められる。しかしながら、構造が複雑になっているため、コスト上昇は避けられない問題がある。また、第２例及び第３例の部材の接続構造は、さらに、構造が複雑であり、安価な道具等への採用にはコスト的に無理がある。
【０００７】
次に、従来技術における土嚢用補助具の第１例は、大型土嚢製作用の補助具であるので、家庭など小規模に土嚢作りをすることには不向きである上に、構造が複雑になっているので、コスト上の問題があった。これに対し、第２例の土嚢用補助具は、土砂の充填作業が単独でも容易にでき、保管や管理に便利になっている。さらに分解・組立可能となっている。しかしながら、この土嚢用補助具は分解・組立の容易性及びコンパクト化が若干不足していることが認められる。そこで、本考案の課題は、第１に複数部材の連結構造を安価に提供するとともに、第２に上記の複数部材の連結構造を適用して使用しやすくした土嚢用補助具を安価に提供することにある。
【課題を解決するための手段】
【０００８】
上記の課題を解決するために本考案は、以下の手段を採用することにより以下の作用効果を奏するようにしたものである。請求項１に記載した考案に係る複数部材の連結構造（以下「第１連結構造」と略称することあり）は、所定の幅と厚みを有する第１部材の所望か所に連結穴部を設け、この第１部材と連結すべき第２部材の一端部に連結穴部に系合可能な形状と所定の長さに区切った接続部を設け、上記の連結穴部にこの接続部を着脱可能に挿着したものからなる。上記の連結穴部の両側部には門型に形成したばね部材の各端部を内側に折り曲げてなる係止部が挿着してあり、このばね部材は上記の連結穴部の外側に、揺動可能かつ各係止部を上記の連結穴部の内側で進退可能に設けてある。また、第２部材の接続部の両側部の所定位置には、上記したばね部材の各係止部を系合可能な系止穴及びこの系止穴から接続部の端部までこの端部側を低くする傾斜溝部が設けてある。さらに上記の連結穴部の両側部にはばね部材を揺動させることにより各係止部を互いに逆方向に進退させるカム部材が設けてある。
【０００９】
上記した複数部材の第１連結構造は、通常はばね部材がカム部材から外れた位置に置かれている。上記の接続部を連結穴部内に挿入する際には、係止部が連結穴部の内側に突出していても上記の傾斜溝部に各係止部が無抵抗に系合し、接続部を押し込むと、係止部は傾斜面に沿って後退し、さらに進入を続けることにより係止部が系止穴と一致すると、ばね力により本来の位置に復元し、係止部と系止穴とが系合状態となり、第２部材の接続部は第１部材の連結穴部に拘束状態となるため、接続の操作が容易である。拘束状態を解除する際には、ばね部材をカム部材の高くなっている方の部分に接触するように揺動させると、門型の脚部がカムフォロワーとなって広がる。このため、各系止部は互いに離れる方向に移動し、係止部が系止穴から離脱し、各系止部の先端部は接続部の移動を妨げない位置まで後退する。こうしてばね部材の揺動により接続部の所定位置に設けてある各係止穴に各係止部を挿脱することにより、第１部材と第２部材とを容易に着脱可能となる。
【００１０】
請求項２に記載した考案に係る複数部材の連結構造（以下「第２連結構造」と略称することあり）は、第１連結構造の変形に係るものである。この第２連結構造は、第１部材と連結すべき第２部材をこの第１部材に揺動可能に取り付け、折り畳み状態を拘束・解除可能とする構成を採用したものである。この第２連結構造の基本構成は、所定の幅と厚みを有する第１部材の一辺の所定か所に連結穴部を設け、上記の第１部材と連結すべき第２部材の一端部に上記の連結穴部に挿着可能な形状の接続部を設け、連結穴部に接続部を介して第２部材が支軸を介して揺動可能に複数部材を連結したものである。上記の連結穴部の両側部には門型に形成してなるばね部材の各端部を内側に折り曲げてなる係止部が挿着してあり、このばね部材は連結穴部の外側で揺動可能かつ上記の各係止部を連結穴部の内側で進退可能としてある。これに対応して上記の第２部材の接続部の両側部の上記した支軸を中心とする半径上の所定位置には各係止部を系合可能な系止穴が設けてある。さらに、連結穴部の両側部には上記のばね部材の揺動により各係止部を互いに逆方向に進退させるカム部材が設けてある。
【００１１】
第２連結構造は、第１連結構造と同様に、ばね部材の脚部がカム部材の低くなっている位置又はカム部材と非接触状態になっていることにより、係止部が第２部材の系止穴に系合状態となっている。この状態においては、係止部が係止穴に系合しているため、第１部材の一辺に対して所定の角度に、又は平行になる状態に位置が固定された状態を維持である。第２部材の位置を変更する場合には、ばね部材をカム部材の高くなっている位置への揺動操作により脚部を移動させると、両脚部はカム機構により拡げられ、各系止部は系止穴から離脱するため、第２部材の拘束が解かれて揺動可能となる。第２部材の位置を他の状態まで変更し、系止穴と係止部とが一致した状態になったときに、ばね部材をカム部材から外れる位置に戻せば、係止部が系合穴に系合するため第２部材はその位置に拘束された状態となる。
【００１２】
請求項３に記載した考案は、土嚢用補助具（以下適宜「補助具」と略称する）に関するものである。この補助具の構成は、土嚢袋の開口部の大きさに対応する寸法を有する円形の環状体と、この環状体の下部に複数の保持脚を取り付けたものからなる。この土嚢用補助具は、分解・組立の手段として請求項１に記載した複数部材の連結構造（第１連結構造）を採用して第１部材である環状体に第２部材である保持脚を連結したものである。すなわち、上記の環状体は複数個の円弧部材を請求項１に記載した複数部材の連結構造を用いて着脱自在に連結したものからなり、各保持脚も、請求項１に記載した第１連結構造を用いて環状体の下辺に着脱自在に取り付けたものである。
【００１３】
この土嚢用補助具を使用する際には、土嚢袋の中に環状体を上にした状態で入れ、土嚢袋の開口端を環状体の内側に折り返した状態にすることにより、単独でも土砂や廃棄物等の充填を可能にするものである。この土嚢用補助具は、上記の第１連結構造の採用により、ばね部材を揺動させるだけで、円弧部材の接続部を連結対象である他の円弧部材の連結穴部に挿着した状態で、ばね部材の係止部を接続部の系止穴に対して挿脱可能としてあるので、環状体同士及び環状体と保持脚との分解・組立がきわめて容易となる。この補助具は不使用時には、簡単な操作により分解して収納容積を小さくできるので、保管や運搬に便利となる。さらに、この補助具の構成は、同一構成の３〜４個の円弧部材と同一構成の３〜４個の保持脚とばね部材及びカム部材の４種類の部材にのみよって構成してあるので、製造コストをきわめて低廉に抑えることが可能であるとともに、組立要領がきわめて単純であることから誰にでも容易に分解・組立を行うことができる特徴がある。
【００１４】
請求項４に記載した考案は、請求項２に記載した複数部材の連結構造（第２連結構造）を採用して、環状体に各保持脚を取り付けてなる土嚢用補助具に係るものである。すなわち、この土嚢用補助具の構成は、所定の厚みと幅とを有し、第１部材である土嚢袋の開口部の大きさに対応する寸法を有する実質的に正方形の環状体と、この環状体の一辺に揺動可能に取り付けてある複数の第２部材である保持脚とからなる。この土嚢用補助具の具体的構成は、一体型の環状体の一辺に、保持脚の接続部を挿着した状態で揺動可能とする連結穴部を備えており、上記の保持脚は接続部が連結穴部に揺動可能に軸支されており、第２連結構造によって折り畳み可能としてあるところに特徴がある。
【００１５】
この土嚢用補助具は、環状体の下辺に設けてある連結穴部に、接続部を介して保持脚を揺動可能に取り付けたものであるが、この保持脚は使用時には環状体からほぼ垂下した状態に固定可能であり、不使用時には環状体の下辺に折り重なるように折り畳み可能なものである。このような垂下状態又は折り畳み状態は、第２連結構造を採用することにより容易に切り替え可能としてある。すなわち、垂下状態又は折り畳み状態に固定しておくときには、ばね部材をカム部材の低くなっている範囲又はカム部材から外れるように位置させて、係止部を接続部の系止穴に進入させることにより系止させておく。また、保持脚の状態変更をするときにはばね部材を揺動させることにより、拘束を解除し、保持脚が支軸を中心として揺動可能となる。保持脚が所望の状態になったときに、ばね部材をカム部材から外れる位置に移動させれば、係止部が復帰して他方の系止穴に系合することによりその状態に保持される。
【考案の効果】
【００１６】
本考案は、請求項１に記載した複数部材の連結構造を採用して部材同士を連結すれば、ばね部材の揺動のみの操作により部材同士の連結又は連結解除を容易に行うことが可能になる。また、請求項２に記載した複数部材の連結構造を採用すれば、ばね部材の揺動のみの操作により環状体等の部材に揺動可能に取り付けた部材を所望の角度に固定し又は固定解除を容易に行うことができる。さらに、請求項１に記載した複数部材の連結構造を採用して複数の円弧部材を連結すれば、分解・組立が容易な環状体とすることができる。そして、この連結構造を採用してこの環状体に保持脚を取り付けるようにすれば同様に分解・組立が容易な土嚢用補助具とすることができる。この土嚢用補助具は部品点数を著しく少なくできるので、製造コストの低減が可能となる。次に、一体にできている環状体に請求項２に記載した複数部材の連結構造を採用して保持脚を取り付けるようにすれば、折り畳み操作が容易な土嚢用補助具を容易かつ安価に作ることが可能になる。
【考案を実施するための最良の形態】
【００１７】
本考案は２種類の複数部材の連結構造と、これらの連結構造を採用してなる２種類の土嚢用補助具を含んでいるので、初めに複数部材の連結構造について説明し、その後にこれらを採用してなる土嚢用補助具について各実施例として順次説明する。
【実施例１】
【００１８】
実施例１としての複数部材の連結構造の第１（第１連結構造）は、図１、図２に示すように、３部材を連結したものからなる。第１部材１の端部に第２部材２を直線的に連結し、さらに、第２部材２と同様の第３部材３を第１部材１に直角に連結可能してある。第１部材１の一端部には連結穴部１ａが設けてあり、他端部には接続部１ｃが設けてある。また、第２部材２も同様に、一端部には連結穴部２ａが設けてあり、他端部には接続部２ｃが設けてある。連結穴部と接続部とは製造コストの面から、どの部材についても統一した寸法・形状としておくことが望ましい。
【００１９】
接続部２ｃには、後述のばね部材４の係止部を挿着可能な位置に系止穴２ｄが設けてある。系止穴２ｃから接続部２ｃの端部までの範囲には、傾斜溝部２ｅが設けてある。この傾斜溝部２ｅは、接続部を連結穴部２ａに挿着する際に、ばね部材の係止部４ｂ（後述）が突出状態になっていてもばね力に抗して接続部の進入を可能にするためのものである。
【００２０】
ばね部材４は、ピアノ線等の弾性線材を門型に形成し、脚部４ａの先端部を対向するように直角に折り曲げて係止部４ｂとしたものからなる。各係止部４ｂは各連結穴部の両側部に設けてある取り付け穴（符号表示略）に挿着することにより各部材に揺動可能に装着してある。カム部材５は硬質プラスチックをくさび状に形成したものからなり、各連結穴部の外側かつばね部材４の揺動範囲内に位置するように固着してある。カム部材５の低くなっている方の部分と高くなっている方の部分の差はばね部材４の脚部の移動量に対応するようにしてある。ばね部材４の揺動量は、揺動により他端部が部材の他辺側に当たって揺動不能となるように係止部４ｂから上端部までの長さを調整するとよい。
【００２１】
この第１連結構造は、第１部材１の連結穴部１ａに第２部材２の接続部２ｃを挿着し、ばね部材４で係止することにより離脱不能としてある（図１（ｂ）参照）。同様にして、第１部材１の一辺側にも他の連結穴部１ｂが設けてあり、ここに第三部材３の接続部３ｃを挿着可能としてある。接続部を連結穴部に挿着する際には、いずれの場合においても、ばね部材４をカム部材５から外れた状態にしておいても傾斜溝部により進入可能となっているが、引き抜く際には、ばね部材４をカム部材５の高くなっている位置まで揺動させることによりばね部材による拘束を解除する。
【００２２】
図２は、図１の連結穴部１ｂを上向きにした状態を拡大して示したものであるが、この状態においては、ばね部材４が第２連結穴部１ｂの両側に設けてあるカム部材５から外れているため、係止部４ｂは第２連結穴部１ｂの内側に突出した状態となっている。この連結穴部１ｂに第３部材３の接続部３ｃ（図１参照）を挿着する際には、各傾斜溝部３ｅと各係止部４ｂとの位置が合致する状態にして差し込むと、係止部４ｂは傾斜溝部３ｅ（図１（ａ）参照）に沿って後退し、系合穴と一致するとばね力により系合穴に進入して系合状態になる。もちろんばね部材を反時計回り方向に揺動させ、カム部材の高くなっている位置に移動させ、係止部４ｂを後退させた状態でも、接続部３ｃを進入可能である。接続部３ｃを第２連結穴部１ｂから引き抜く際には、ばね部材４を同様にカム部材５の高くなっている範囲に移動させ、係止部４ｂを後退させれば、系合状態が解除されるので引き抜き可能となる。
【００２３】
図３は、第１部材１の連結穴部１ａに第２部材の接続部２ｃを挿着したときの各部材の関係について断面図で表したものである。ばね部材４は、揺動により各脚部４ａ，４ａがカム部材５，５により互いに逆方向に進退可能となっている。同図（ａ）では、ばね部材４の各脚部４ａ，４ａがカム部材５，５の低くなっている範囲又は接触しない範囲に位置しており、各係止部４ｂ，４ｂは、連結穴部１ａに挿着された接続部２ｃの係止穴２ｄ，２ｄに系合している。この状態は第１部材１に第２部材２が連結していることを意味している。この関係は、第１部材１の一辺側に設けてある連結穴部１ｂに第３部材３の接続部３ｃを挿着して連結する場合の構成も同様のものとなる。同図（ｂ）は、ばね部材４の各脚部４ａ，４ａがカムフォロワーの役割を担い、カム部材５，５によりばね部材４の各脚部４ａ，４ａが押し広げられ、各係止部４ｂが各系止穴２ｄから離脱している状態を示している。
【００２４】
以上の操作法は、第１部材１に第２部材２を連結する場合も同様である。すなわち、第１部材１の連結穴部１ａに第１部材２の接続部２ｃを挿着する際には、各傾斜溝部２ｅをばね部材４の係止部に合わせて差し込むと、ばね部材の各係止部４ｂ，４ｂが後退し、最後に系止穴２ｄ，２ｄに系合する。第２部材２を第１部材１から引き抜く際の操作も同様にばね部材の揺動により行えばよい。
【実施例２】
【００２５】
次に、実施例２として、部材同士を折り畳み可能にする複数部材の連結構造（第２連結構造）について説明する。第２連結構造の基本構成は、図４に示すように、第１部材２１の一辺（図４では下辺）に、連結穴部２１ｂを設け、この連結穴部の両側部にはばね部材４の脚部４ａ（図３参照）が位置し、これと隣接してカム部材５が固着してある。第１部材１に連結する第２部材２２の一端部（図１では上端部）に連結穴部２１ｂに挿着可能な形状の接続部２２ｃが設けてある。第２部材２２は、支軸６を介して第１部材２１に揺動可能に取り付け、実施例１と同様のばね部材４とカム部材５とを用いて、第２部材を所定の状態に拘束可能としてある。同図（ａ）は、第２部材２２が第１部材２１に対してほぼ直角になった位置でばね部材５により揺動不能状態に維持されていることを示している。この状態から同図（ｂ）のように、折り畳み状態にする場合には、ばね部材４とカム部材５とにより拘束状態を解除すれば、揺動可能となるので第２部材２２を第１部材２１と平行になるまで移動させればよい。なお、ばね部材４とカム部材５とによる係止部の系合穴に対する挿脱の機構は、第１連結構造と同様である。
【実施例３】
【００２６】
実施例３は、図４における第２部材２２の他端部に開口部を有する挿着穴部２２ｅを設け、この挿着穴部に伸縮部材２６を長手方向に移動可能に挿着したものである。伸縮部材２６は、第２部材の長さ調節を可能にするものであり、同図（ｃ）に示すように、両側部に複数の系止穴２６ｃ，２６ｄを有し、第２部材の一辺側を跨ぐように設けてあるばね部材４の係止部４ｂ（図３参照）を系止可能としてある。ばね部材４はカム部材５によって係止部を進退させるものであることについては実施例１，２と同様である。伸縮部材２６は、不使用時には図４（ｂ）に示すように、第１部材内に押し込んで置き、使用時にはこれを引き出し、第２部材を延伸させることにより長さの調整を可能にするものである。
【実施例４】
【００２７】
実施例４は、上述の複数部材の第１連結構造を採用した土嚢用補助具に関するものである。図５は、環状体３１に３本の保持脚３２，…を取り付けたものからなる補助具Ｈ１を示している。環状体３１は、図示してあるように、所定の厚みと幅とを有し、接続部を除いた部分の長さが円周の３分の１になる均等な長さ（ただし隙間の分だけ短くしてある）に形成した第１連結構造の第１部材としての円弧体３３，…を一体に連結したものにより構成してある。円弧体３３の一端部には、連結穴部３３ａが設けてあり、他端部には円弧状の接続部３３ｃが設けてある。接続部３３ｃの両側部（内面側のみ表示）には、系止穴３３ｄが設けてある。また、この系止穴３２ｄから接続部３２ｃの端部までの範囲には、実施例１と同様の傾斜溝部３２ｅが設けてある。連結穴部３３ａの両側部には、門型のばね部材３４の両脚部が位置し、各脚部の先端部に設けてある係止部４ｂ，４ｂが、連結穴部３３ａの壁板を貫通し、内側で上記の系止穴３３ｄ（図３参照）に系合可能としてあることについては実施例１と同様である。
【００２８】
また、各ばね部材４の隣接位置にはカム部材５が設けてあり、ばね部材の揺動により各係止部を変位可能としてある（図３参照）。環状体３１の組立・分解は上記のばね部材４の揺動による係止部の系止穴への挿脱により行うようになっていることについては実施例１と同様である。この実施例では、環状体３１は、各円弧体３３が第１連結構造の第１部材であるとともに、第２部材を構成している。また、各円弧体３３に連結される各保持脚３２の組み合わせについては、各円弧体３３が第１部材であり、保持脚３２が第２部材に相当する。
【００２９】
図６は、第１〜第３部材を所定の幅と厚みを有する同一の円弧体３３とし、これらを順次連結することにより環状体とするための各部材を示している。実施例１の構成とは第１部材及び第２部材が円弧体になっている点において形状的には異なるが、機構的には同一である。ここでは、円弧体３３が第１部材及び第２部材を構成し、第１連結構造を採用して連結することにより環状体３１を構成している。円弧体の組み合わせにより環状体を楕円形にすることも可能である。保持脚３２は、同図（ｃ）に示すように、円弧体３３と同一の曲率半径の断面に形成してある細長い板状体の一端部に接続部３２ｃを有し、その両側部には系止穴３２ｄ及び傾斜溝部３２ｅが設けてある。同図（ｄ）に示すように、円弧体３３の下辺部には上記の接続部３２ｃに対応する連結穴部３３ｂが設けてある。各保持脚３２の接続部３２ｃを円弧体３３の連結穴部３３ｂに挿着し、ばね部材４を操作して係止部を進退させることにより、環状体３１と保持脚３３の分解・組立が可能であることについては実施例１と同様である。
【００３０】
次に、この補助具の使用法について説明する。図７は補助具の使用状態を示したものである。この補助具の使用法は、開口部を拡げた土嚢袋Ｂ内に補助具Ｈ１を各保持脚２の先端部を下に位置させた状態で入れ、開口部を環状体３１の上方まで引き上げる。次に、この上端部を環状体３１の内側に折り返し、袋がずり落ちないようにして土嚢袋の立ち姿状態を維持するようにする。このような状態にした補助具Ｈ１を内部にセットした袋Ｂを土砂等の充填作業位置近くに置き、スコップ等により開口部から土砂等を充填する。充填量は、土砂等が環状体３の下部よりも１ｃｍ以上下方とすれば、できあがった土嚢の容積は保持脚３２の長さにより調整可能となっているためほぼ定量となる。所定量の土砂が充填されたら、袋の上端部を環状体３から取り除き、環状体を引き抜けば、袋Ｂ内には充填された土砂等だけが残った状態となる。最後に、袋Ｂの開口部を閉じ、口紐を結べば土嚢ができあがる。補助具の抜き出しに際しては、保持部材が比較的薄くかつ幅が狭くなっているので、小さな力で抜き出し可能となっている。この補助具は不使用時には分解しておけば、６個の部材となり、まとめて箱や袋に詰めれば保管や運搬に便利となる。
【実施例５】
【００３１】
実施例５は、上述の複数部材の第２連結構造を採用した土嚢用補助具に関するものである。図８、図９は、一体になっている環状体５１に４本の保持脚５２，…を取り付けたものからなる補助具Ｈ２を示している。図８、図９において、環状体５１の下辺の角部近傍には、保持脚５２の接続部５２ｃを挿着可能な連結穴部５１ｂが設けてある。この連結穴部５１ｂに上記の接続部５２ｃを挿着し、支軸５７によって揺動可能に支持してある。環状体５１の連結穴部５１ａが設けてある範囲には、ばね部材４が揺動可能に取り付けてあり、その近傍にはカム部材５が固定してある。上記の環状体５１は第２連結構造の第１部材に相当し、保持脚５２が第２部材に相当する。
【００３２】
図１０に示すように、保持脚５２の一端部には、本体部５２ａよりも厚みが小さめで一側部側に突出するように形成した接続部５２ｃが形成してある。この接続部５２ｃには、系止穴５２ｄ及び支軸穴５２ｅが設けてある。保持脚５２の本体５２ａの内部には下端部に開口端を有する挿着穴部５２ｅが設けてあり、これには延長脚５６が進退可能に挿着してある。延長脚５６の断面形状は挿着穴部５２ｅに対応するものとなっており、同図（ｃ）に示すように、長さ調整可能にするための系止穴５６ｄが３か所に設けてある。延長脚５６の操作法は実施例３における伸縮部材２６と同様である。
【００３３】
この補助具Ｈ２は、不使用時には、図８に示すように、各保持脚５２を環状体５２の下辺部と接するように折りたたんでおき、延長脚５６も保持脚の挿着穴部５２ｅ内に深く挿入した状態でばね部材４の操作により拘束状態としてある。そして使用時には、各ばね部材４の操作により保持脚５２及び延長脚５６の拘束状態を解除し、保持脚を拡げて環状体５１に直角とするとともに、延長脚を引き出してそれぞればね部材の操作により、図９に示すような状態とし、ばね部材４の操作によりその状態に拘束する。延長脚５６の長さは系止穴５６ｄの選択（図１０（ｃ）参照）により３通りとなる。この拘束及び解除の機構は、実施例１における第１連結構造及び実施例２における第２連結構造の場合と同様である。この補助具Ｈ２における４本の保持脚５２はいずれも同一構成となっているので、部品点数が少ないものであることについては実施例４と同様である。
【００３４】
以上の説明においては、保持脚の数を３枚又は４枚としてあるが、いずれの実施例においてもこの数に限定はなく、大きさその他の条件を考慮して適宜決めればよい。また、通常は、素材として合成樹脂成形品を採用してあるが、素材はこれに限らず、アルミニウムなどの金属や木材加工品であってもよい。また、環状体の形状は円形や正方形に限定されるものではなく、楕円や多角形であってもよい。さらにまた、この補助具の主な用途を土嚢製作の際における補助具としてあるが、木工所における削りくず回収袋とし、又は産業廃棄物の回収用とし、あるいは側溝等の掃除の際における汚泥収納袋として用いてもよい。いずれについてもこの補助具によって土嚢袋を開口状態にしておき、木くずなどの充填物が生じるたびにこの中へ投入し、所定量に達したら口紐で結ぶようにすれば、汚泥等を適宜この中に投入する際に誰の手も借りずに作業ができるので便利である。
【図面の簡単な説明】
【００３５】
【図１】実施例１の構成を示しており、（ａ）は連結前の状態を示す斜視図であり、（ｂ）は連結状態を示す斜視図である。
【図２】実施例１におけるばね部材とカム部材との関係を示す斜視図である。
【図３】実施例１の連結構造の連結及び分離の状態を示した断面図であり、（ａ）は第２部材がばね部材によって連結してある状態を示しており、（ｂ）はばね部材により第２部材が第１部材に対して着脱可能状態になっている状態を示している。
【図４】実施例２の構成を示しており、（ａ）は部材同士が直角になっている状態を示す正面図、（ｂ）は部材同士が平行な状態になっている状態を示す正面図、（ｃ）は第３部材を示す正面図である。
【図５】実施例４の補助具を示す斜視図である。
【図６】実施例４の構成要素を示したものであり、（ａ）及び（ｂ）は第１部材と第２部材の正面を示す斜視図、（ｃ）は第３部材を示す斜視図、（ｄ）は（ｂ）の底面図である。
【図７】実施例４の補助具の使用状態を示す斜視図である。
【図８】実施例５の補助具を示しており、（ａ）は正面図、（ｂ）は底面図である。
【図９】実施例５の補助具を示す斜視図である。
【図１０】実施例５の保持脚を示しており、（ａ）は正面図、（ｂ）は側面図、（ｃ）は延長脚の正面図である。
【符号の説明】
【００３６】
１，２１                          第１部材
２，３，２２                      第２部材
１ａ，１ｂ                        連結穴部
１ｃ，２ｃ，３ｃ                  接続部
１ｅ，２ｅ，３ｅ，３２ｅ，３３ｅ  傾斜溝部
１ｄ，２ｄ，３ｄ                  系止穴
４                                ばね部材
４ａ                              脚部
４ｂ                              係止部
５                                カム部材
２２ｃ，５２ｃ                    接続部
５１，３１                        環状体
３２，５２                        保持脚
３３                              円弧体
３３ａ，３３ｂ，５１ｂ            連結穴部
３２ｃ，３３ｃ                    連結部
３２ｄ，３３ｄ，５２ｄ，５６ｄ    系止穴
５６                              延長脚（伸縮部材）
５７                              支軸
Ｈ１，Ｈ２                        （土嚢用）補助具
Ｂ                                土嚢袋
【図１】
0003148724.tif 000003
【図２】
0003148724.tif 000004
【図３】
0003148724.tif 000005
【図４】
0003148724.tif 000006
【図５】
0003148724.tif 000007
【図６】
0003148724.tif 000008
【図７】
0003148724.tif 000009
【図８】
0003148724.tif 000010
【図９】
0003148724.tif 000011
【図１０】
0003148724.tif 000012